(57)【要約】      （修正有）【課題】マイクロ波包装袋にマイクロ波を当てたときに破裂することを防いで電子レンジの内部が汚れることを防ぐ、マイクロ波包装袋の構造を提供する。【解決手段】マイクロ波包装袋の構造は、包装袋本体２０を備え、包装袋本体内には、収納空間２００が形成される。包装袋本体の頂端面には、収納空間と連通する排気領域２０１が設けられる。排気領域の外端部には、粘着テープ２０１０及び膜２０１１が設けられる。膜は、粘着テープ上に設けられるとともに、排気用の開口が形成され、粘着テープとの間隔を小さくし、加熱時に亀裂を形成しやすくする。排気領域は、包装袋本体の何れか１つの端面に設けられるとともに、数が少なくとも１つである。粘着テープ及び膜の数もそれぞれ少なくとも１つである。【選択図】図２
0003211609.tif 000002
【実用新案登録請求の範囲】
【請求項１】
包装袋本体を備えたマイクロ波包装袋の構造であって、
前記包装袋本体内には、収納空間が形成され、
前記包装袋本体の頂端面には、前記収納空間と連通する排気領域が設けられ、
前記排気領域の外端部には、粘着テープ及び膜が設けられ、
前記膜は、前記粘着テープ上に設けられるとともに、排気用の開口が形成され、前記粘着テープとの間隔を小さくし得ることを特徴とするマイクロ波包装袋の構造。
【請求項２】
前記排気領域は、前記包装袋本体の何れか１つの端面に設けられるとともに、数が少なくとも１つであることを特徴とする請求項１に記載のマイクロ波包装袋の構造。
【請求項３】
前記粘着テープ及び前記膜の数はそれぞれ少なくとも１つであることを特徴とする請求項１に記載のマイクロ波包装袋の構造。
【考案の詳細な説明】
【技術分野】
【０００１】
本考案は、マイクロ波包装袋の構造に関するものであり、更に詳しくは、粘着テープ及び膜に形成された排気孔を介し、冷凍タピオカを包装袋へ封入してマイクロ波で加熱した際、包装袋内の熱を排出して圧力を下げ、包装袋が破裂することを防ぐ、マイクロ波包装袋の構造に関するものである。
【背景技術】
【０００２】
従来、焼いたり、煮たり、蒸したりして食べ物を調理していたが、現代では産業が発展し、ガスコンロ、電気炊飯器、オーブン、電子レンジなどの製品により食べ物を調理している。現代人の生活は、一般に仕事などで忙しいが、美味しくて健康的な食べ物が求められている他、容易かつ短時間に調理することも求められていた。そのため、容易かつ短時間に調理可能な電子レンジは現代人に広く愛好され、一般の家庭、学校、食堂、企業、公共の場所などで広く利用されている。
【０００３】
電子レンジで調理する場合、食べ物にマイクロ波を当てて加熱するため、水分が速やかに失われて食べ物が硬くなってしまう問題があった。その原因としては、マイクロ波で加熱すると、食べ物の水分が速やかに蒸発して食べ物が硬くなり、美味しくなくなってしまうためである。一般に食べ物にマイクロ波を当てる場合、水分が失われることを防ぐために、密封容器に食べ物を封入していたが、破裂してしまう虞があった。
【０００４】
図１を参照する。図１は、従来の包装袋を示す斜視図である。図１に示すように、従来の包装袋１は、プラスチックジッパー１０を有し、プラスチックジッパー１０により包装袋１の袋口１１を閉止していた。しかし袋口１１が閉止されている場合、従来の包装袋１にマイクロ波を当てて加熱すると、内部に発生した熱が排出されず、従来の包装袋１が加熱されて膨張し、破裂してしまう虞があった。しかし、従来の包装袋１に予め排気穴が形成されている場合、マイクロ波で加熱すると、従来の包装袋１内の食材の汁が排気穴から溢れ出たり飛散したりし、電子レンジの内部が汚れてしまう虞があった。
【考案の概要】
【考案が解決しようとする課題】
【０００５】
従って、本考案の主な課題は、マイクロ波包装袋にマイクロ波を当てたときに破裂して電子レンジの内部が汚れることを防ぐ、マイクロ波包装袋の構造を提供することにある。
【課題を解決するための手段】
【０００６】
そこで、本考案者は、本考案の前記課題を解決するため、鋭意検討を重ねた結果、後述のように包装袋本体内に少なくとも収納空間と排気領域と排気用開口を形成させることにより、前記課題を解決できることに着目し、かかる知見に基いて本考案に想到するに至った。
すなわち、上記課題を解決するために、本考案の第１の形態によれば、包装袋本体を備えたマイクロ波包装袋の構造であって、前記包装袋本体内には、収納空間が形成され、前記包装袋本体の頂端面には、前記収納空間と連通する排気領域が設けられ、前記排気領域の外端部には、粘着テープ及び膜が設けられ、前記膜は、前記粘着テープ上に設けられるとともに、排気用の開口が形成され、前記粘着テープとの間隔を小さくし得ることを特徴とするマイクロ波包装袋の構造が提供される。
【０００７】
前記排気領域は、前記包装袋本体の何れか１つの端面に設けられるとともに、数が少なくとも１つであることが好ましい。
【０００８】
前記粘着テープ及び前記膜の数はそれぞれ少なくとも１つであることが好ましい。
【０００９】
かくして、本考案の要旨は次の（１）〜（３）に示す通りである。
【００１０】
（１）包装袋本体を備えたマイクロ波包装袋の構造であって、
前記包装袋本体内には、収納空間が形成され、
前記包装袋本体の頂端面には、前記収納空間と連通する排気領域が設けられ、
前記排気領域の外端部には、粘着テープ及び膜が設けられ、
前記膜は、前記粘着テープ上に設けられるとともに、排気用の開口が形成され、前記粘着テープとの間隔を小さくし得ることを特徴とするマイクロ波包装袋の構造。
【００１１】
（２）前記排気領域は、前記包装袋本体の何れか１つの端面に設けられるとともに、数が少なくとも１つであることを特徴とする前記（１）に記載のマイクロ波包装袋の構造。
【００１２】
（３）前記粘着テープ及び前記膜の数はそれぞれ少なくとも１つであることを特徴とする前記（１）に記載のマイクロ波包装袋の構造。
【考案の効果】
【００１３】
本考案は前記の通りの構成からなるものであり、過剰な高圧ホットエアーが外部へ排出されて圧力が低下することから、包装袋にマイクロ波が照射された場合も破裂を効果的に防止することができる。
【図面の簡単な説明】
【００１４】
【図１】図１は、本考案の一実施形態に係るマイクロ波包装袋の構造を示す斜視図である。
【図２】図２は、本考案の一実施形態に係るマイクロ波包装袋の構造を示す斜視図である。
【図３】図３は、本考案の一実施形態に係るマイクロ波包装袋の構造を示す実施例図である。
【図４】図４は、本考案の一実施形態に係るマイクロ波包装袋の構造をマイクロ波で加熱する状態の説明図である。
【図５】図５は、本考案の一実施形態に係るマイクロ波包装袋の構造が排気する状態の説明図である。
【考案を実施するための形態】
【００１５】
まず、図２を参照する。図２は、本考案の一実施形態に係るマイクロ波包装袋の構造を示す斜視図である。図２に示すように、本考案の一実施形態に係るマイクロ波包装袋の構造は、包装袋本体２０を備える。包装袋本体２０内には収納空間２００が形成される。包装袋本体２０の頂端面には、収納空間２００と連通する排気領域２０１が設けられる。排気領域２０１の外端部には、粘着テープ２０１０が設けられる。粘着テープ２０１０の上端には、膜２０１１が設けられる。
【００１６】
図３を参照する。図３は、本考案の一実施形態に係るマイクロ波包装袋の構造を示す実施例図である。図３に示すように、冷凍タピオカ３をマイクロ波包装袋２中に充填する際、冷凍タピオカ３は、包装袋本体２０内の収納空間２００中に封入される。包装袋本体２０の頂端面には、排気領域２０１が接続される。排気領域２０１の外端部には、粘着テープ２０１０が設けられる。粘着テープ２０１０の上端には、逆三角形状を呈して粘着テープとの間隔を小さく維持する膜２０１１が設けられる。
【００１７】
続いて、図４を参照する。図４は、本考案の一実施形態に係るマイクロ波包装袋の構造をマイクロ波で加熱する状態の説明図である。図４に示すように、マイクロ波包装袋２の包装袋本体２０がマイクロ波で熱又は圧力を受けると、収納空間２００内に高圧ホットエアー４が発生し、包装袋本体２０が膨張すると排気領域２０１も膨張する。
【００１８】
次に、図５を参照する。図５は、本考案の一実施形態に係るマイクロ波包装袋の構造が排気する状態の説明図である。図５に示すように、マイクロ波包装袋２の包装袋本体２０が膨張すると排気領域２０１も膨張し、高圧ホットエアー４により排気領域２０１の粘着テープ２０１０が押圧されて亀裂２０１２が形成される。そのため、高圧ホットエアー４により膜２０１１が押し開かれて亀裂２０１２と連通して排気孔２０１３が形成され、余計な高圧ホットエアー４が外部空間へ排出されて圧力が低下する。
【００１９】
上述したことから分かるように、本考案のマイクロ波包装袋の構造は、包装袋本体に排気領域が接続され、粘着テープ及び膜に形成された排気孔を介し、余分な高圧ホットエアーが外部空間へ排出されて圧力が低下するため、マイクロ波包装袋にマイクロ波が当てられて破裂して電子レンジの内部が汚れることを防ぐことができる。
【符号の説明】
【００２０】
１  包装袋
２  マイクロ波包装袋
３  冷凍タピオカ
４  高圧ホットエアー
１０  プラスチックジッパー
１１  袋口
２０  包装袋本体
２６  プッシュスイッチ
２００  収納空間
２０１  排気領域
２０１０  粘着テープ
２０１１  膜
２０１２  亀裂
２０１３  排気孔
【図１】
0003211609.tif 000003
【図２】
0003211609.tif 000004
【図３】
0003211609.tif 000005
【図４】
0003211609.tif 000006
【図５】
0003211609.tif 000007